(57)【要約】【課題】  従来の二分割スロットマシンに比べ、交換するAssyを小型化し、且つセキュリティ性を高めることができる遊技機を提供する。【解決手段】  回転表示装置を設け、回転表示装置の図柄及び回転表示を画像取り込み装置に取り込み、その画像データを拡大処理するとともに画像表示装置に実写画像として表示し、さらに画像取り込み装置、回転表示装置、及び主制御基板を密閉構造の箱状収容部材に収容する。【選択図】  図６
2005124994.tif 000002
【特許請求の範囲】
【請求項１】
回転表示手段と、
前記回転表示手段を撮影し、画像データとして取り込む画像取り込み手段と、
前記回転表示手段の動作を制御する主制御手段と、
前記画像取り込み手段によって取り込まれた前記画像データの拡大処理を行う副制御手段と、
前記副制御手段によって拡大処理された拡大画像データを表示する画像表示手段と、
前記回転表示手段を収容する収容手段と、を有し、
前記収容手段は、開閉可能な開口部を有する密閉構造であることを特徴とする遊技機。
【請求項２】
前記画像取り込み手段は、撮影に必要な一定の距離をおいて前記回転表示手段に対向して配置されることを特徴とする請求項１記載の遊技機。
【請求項３】
前記画像取り込み手段と前記副制御手段とは有線又は無線のいずれか一方で接続されることを特徴とする請求項１又は２記載の遊技機。
【請求項４】
前記回転表示手段と前記主制御手段とは有線又は無線のいずれか一方で接続されることを特徴とする請求項１又は２記載の遊技機。
【請求項５】
前記副制御手段は、前記回転表示手段の回転動作のない時には画像演出表示の制御を行うことを特徴とする請求項１又は３記載の遊技機。
【請求項６】
前記収容手段は、筐体内又は筐体外のいずれか一方に設置されることを特徴とする請求項１記載の遊技機。
【請求項７】
前記収容手段は、該収容手段が設置される部材に着脱可能であることを特徴とする請求項１又は６記載の遊技機。
【請求項８】
前記収容手段は、前記主制御基板及び前記画像取り込み手段のうち少なくとも１つを収容することを特徴とする請求項１、６、７のいずれか１項に記載の遊技機。
【発明の詳細な説明】
【技術分野】
【０００１】
本発明は、遊技機に関し、詳しくは回胴リール等の回転表示装置を有する遊技機に関する。
【背景技術】
【０００２】
従来、箱形遊技機を略二分割構造にして上半分のみを交換することによって遊技機の内容を簡易に変更することができる「分離型スロットマシン」がある（例えば、特許文献１参照）。
【特許文献１】特開２００３−４７６８５号公報
【発明の開示】
【発明が解決しようとする課題】
【０００３】
しかしながら、上記特許文献１記載の発明のように、現在の回胴式遊技機の回転表示装置は比較的大きい外形サイズで作られており、交換するAssyがかなり大型になるので、運搬や交換等の作業が煩雑になってしまうという問題があった。
【０００４】
本発明は、上記事情に鑑みてなされたものであり、従来のものに比べ構成寸法が小型の回転表示装置を設け、回転表示装置の図柄及び回転表示を画像取り込み装置に取り込み、その画像データを拡大処理するとともに画像表示装置に実写画像として表示し、さらに画像取り込み装置、回転表示装置、及び主制御基板を密閉構造の箱状収容部材に収容することにより従来の二分割スロットマシンに比べ、交換するAssyを小型化することができる遊技機を提供することを目的とする。
【課題を解決するための手段】
【０００５】
かかる目的を達成するために、本発明は、回転表示手段と、回転表示手段を撮影し、画像データとして取り込む画像取り込み手段と、回転表示手段の動作を制御する主制御手段と、画像取り込み手段によって取り込まれた画像データの拡大処理を行う副制御手段と、副制御手段によって拡大処理された拡大画像データを表示する画像表示手段と、回転表示手段を収容する収容手段とを有し、収容手段は、開閉可能な開口部を有する密閉構造であることを特徴とする。
【０００６】
また、本発明の画像取り込み手段は、撮影に必要な一定の距離をおいて回転表示手段に対向して配置されることを特徴とする。
【０００７】
また、本発明は、画像取り込み手段と副制御手段とは有線又は無線のいずれか一方で接続されることを特徴とする。
【０００８】
また、本発明は、回転表示手段と主制御手段とは有線又は無線のいずれか一方で接続されることを特徴とする。
【０００９】
また、本発明の副制御手段は、回転表示手段の回転動作のない時には画像演出表示の制御を行うことを特徴とする。
【００１０】
また、本発明の収容手段は、筐体内又は筐体外のいずれか一方に設置されることを特徴とする。
【００１１】
また、本発明の収容手段は、収容手段が設置される部材に着脱可能であることを特徴とする。
【００１２】
また、本発明の収容手段は、主制御基板及び画像取り込み手段のうち少なくとも１つを収容することを特徴とする。
【発明の効果】
【００１３】
本発明の第１の効果として、小型化された回転表示装置の表示をビデオカメラ等の画像取り込み装置で一旦取り込み、拡大表示処理ののち画像表示装置により表示画像を遊技者に表示した上に、画像取り込み装置、回転表示装置、及び主制御基板を密閉構造の箱状収容部材に収容することにより、遊技内容の交換に係る部材の大きさ、重さを小さく、軽くでき、交換部材運搬、交換作業の効率、手間がかからなくなる。
【００１４】
本発明の第２の効果として、箱状収容部材をブラックボックス化することにより、従来のスロットマシンに比べセキュリティ性を向上させることができる。
【発明を実施するための最良の形態】
【００１５】
以下、本発明を実施するための最良の形態について添付図面を参照して詳細に説明する。
【実施例１】
【００１６】
図１は、本発明の実施形態であるスロットマシンＳＭの外観斜視図である。
図１に示すように、スロットマシンＳＭは、前面開口を有して箱状のキャビネットボックス２と、この前面開口を覆って開閉可能に取り付けられた前面扉（フロントマスク）３とからなる筐体１を有し、この筐体の各部に種々の遊技展開装置を配設して構成される。前面扉３は、キャビネットボックス２及び前面扉３の互いの左縁部に配設された上下のヒンジ機構（図示せず）により横開き可能に取り付けられ、常には右側縁に設けられた施錠装置４を利用してキャビネットボックス２に閉鎖施錠された状態で保持される。
【００１７】
前面扉３の外側表面には、メダル投入口５、スタートレバー１１、回転表示装置である回胴リール装置２００の各回胴リールＲ１、Ｒ２、Ｒ３（図３参照）に対応して設けられた停止ボタン１２、１３、１４、左右の上部スピーカＳＬ、ＳＲ等が取り付けられている。前面扉３の前面中央の中部パネルにはディスプレイ１０が設備されており、各回胴リールＲ１、Ｒ２、Ｒ３の円筒外周面に沿って描かれた多数の絵柄のうち、所定の範囲（例えば、上下３つの絵柄の範囲）を遊技機正面から目視可能になっている。前面扉３の中央下部には、メダル払出口６が設けられているとともに、その下側に前方に突出する受け皿７が設けられており、ホッパ装置ＨＰから払い出された遊技メダルが、このメダル払出口６を通って受け皿７に受け止められ貯留されるようになっている。
【００１８】
また、図２及び図７に示すように前面扉３の内部には、演出表示装置８の裏側にサブ制御基板４００が取り付けられている。この基板は、遊技機に備えられたランプ、効果音や音楽等の音、及び演出画像の演出関係の制御を行う基板である。このサブ制御基板４００には、演出用スピーカＳＲ、ＳＬと演出用ランプ１５、１６、１７と演出表示装置８がそれぞれ所定の配線ケーブル（図示せず）を介して配線接続されており、サブ制御基板４００に設けられている電気回路が、主制御基板３００からの指示に従ってこれら演出用スピーカＳＲ、ＳＬと演出用ランプ１５、１６、１７と演出表示装置８を駆動することにより、遊技者の視覚や聴覚に訴える演出を行うようになっている。
【００１９】
筐体１の基本構成部材であるキャビネットボックス２は、装置重量の軽量化や部材コストの低廉性、部材加工の容易性等の見地から、一般にパーチクルボードや積層合板等の木材パネルが用いられており、定型板材を所定形状に切断及びルータ加工し、メタルブッシュ（鬼目ナット）の打ち込み等を行って天板、左右の側板、底板等を形成した上、箱状に作製されている。
【００２０】
また、図２に示すようにキャビネットボックス２の内部には、硬質プラスチックの収納ケース内に収納されたユニット構造である、主制御基板３００がスロットマシンＳＭの動作を統括するために設けられている。この主制御基板３００を中心として、サブ制御基板４００、中央表示基板、電源装置基板、回胴装置基板、外部集中端子基板がそれぞれ所定のケーブルを介して配線接続されている（それぞれ図示せず）。
【００２１】
この主制御基板３００には、半導体メモリＲＯＭ及びマイクロプロセッサＭＰＵ（ともに図示せず）が搭載されており、マイクロプロセッサＭＰＵが、半導体メモリＲＯＭに予め記憶されているシステムプログラムとスロットマシンゲーム用のプログラムを実行し、上記各基板を制御することによって、スロットマシンＳＭの動作状況とゲームの進行を統括管理している。具体的には、遊技機のメイン抽選、各リールの制御、入力スイッチ等の管理を行っている。
【００２２】
また、キャビネットボックス２内部の底面奥部には、電源基板が金属製の基板ケースに収容されて取り付けられており、電源基板のアース回路と基板ケースとが電気的に接続され、この電源基板のアース回路又は基板ケースと各遊技展開装置（例えば、スタートレバーや停止ボタン等の操作装置、回胴リール装置、ホッパ装置、電源基板、各種制御基板など）とがアース線やアース板金等を用いて電気的に接続されている。そして、スロットマシンを遊戯施設の遊技島に設置した時に、アース線の一端を基板ケースの背面側に設けられたマシン側アース端子に接続し、他端を遊技島の島側アース端子に接続することで電源基板やこれに接続された遊技展開装置が設置されるように構成されている。
【００２３】
以上説明したように、キャビネットボックス２に取り付けられた遊技展開装置及び前面扉３に取り付けられた遊技展開装置は、図示省略するワイヤーハーネス（電気配線）により相互に接続され、スロットマシンＳＭが遊技可能に構成される。
【００２４】
このように構成されたスロットマシンＳＭでは、遊技者がメダル投入口５に遊技メダルを投入し、ベットボタンＢ１、Ｂ２、Ｂ３のいずれかを押下し、スタートレバー１１を操作すると、主制御基板３００は、このスタートレバー１１からの信号に基づいて起動指令信号を回胴リール装置２００に出力し、３つの回胴リールＲ１、Ｒ２、Ｒ３を同時に回転起動させる。遊技者は回転しているリールを任意に選択し、対応する停止ボタン１２、１３、１４を所望の順序およびタイミングで操作することができ、主制御基板３００はこれらの停止ボタンからの操作信号に応じて停止指令信号を回胴リール装置２００に出力し、対応する回胴リールＲ１、Ｒ２、Ｒ３の回転を制動停止させる。
【００２５】
回転していたリールＲ１、Ｒ２、Ｒ３が全て停止すると、主制御基板３００により入賞図柄の判定、すなわち当たりかはずれかの判定が行われる。主制御基板３００は停止後にディスプレイ１０に表示されている図柄について、投入した遊技メダルの枚数に応じた有効ライン（上・中・下３本の水平ライン及び左・右２本の斜めライン）上での入賞図柄の判定を行う。そして、有効ライン上の図柄の組み合わせが予め設定された入賞図柄の組み合わせに該当するときには、その入賞状態に応じた払出指令信号がホッパ装置ＨＰに出力され、ホッパ装置ＨＰから所定枚数の遊技メダルが払い出される。また、このとき上部スピーカＳＲ、ＳＬ及び下部スピーカ（図示せず）から入賞に応じた効果音が発生される。
【００２６】
一方、入賞図柄の判定結果、有効ライン上の図柄の組み合わせが予め設定された入賞図柄の組み合わせに該当しなかったときには、遊技メダルの払い出しは行われず、投入した遊技メダルがホッパ装置ＨＰのメダル貯留部（図示せず）に収容される。このように、スロットマシンＳＭで遊技を行う遊技者は、表示された図柄が予め定められた組み合わせに該当しなかったときには投入した遊技メダルを失うが、表示された図柄が予め定められた組み合わせに該当したときには投入した枚数以上の遊技メダルを獲得しうることとなり、遊技メダルを増やすという興趣を楽しむことができる。
【００２７】
以上のように構成され出荷されたスロットマシンＳＭは、遊戯施設に搬入されて遊技島に設置される。遊技島に設置されたスロットマシンの正面図を図９に示す。
【００２８】
遊技島４０は、基本的に左右に水平に延びて配設され複数台のスロットマシンを支持可能なテーブル状の島棚板４１と、この島棚板４１の上方にスロットマシンの高さ寸法に合わせて島棚板と平行に延びる島上板（図示せず）、島棚板４１の下部に左右に延びて張り渡された幕板４２を主体とし、島棚板と島上板とをつなぐ枠板によってスロットマシンの外周を取りまく枠状に形成される。隣接するスロットマシンの間及び上部には化粧面板が張られて島上板と枠板とが目隠しされるとともに、隣接するスロットマシン間にはメダル貸し機４４が配置され、スロットマシンの上方にはフィーバーランプと称される報知ランプ４３が設けられている。
【００２９】
ここで、図３を参照して本発明の実施例に係るリール撮像部５００について説明する。図３はリール撮像部５００を拡大した外観を示す斜視図である。
【００３０】
図３に示すように、リール撮像部５００は、回胴リール装置２００と画像取り込み装置１００とから構成される。回胴リール装置２００はメインリール装置であり、筐体内の主制御基板３００により回転動作等を制御される。主制御基板３００とは図示しない所定のケーブルにより電気的に接続されている。
【００３１】
画像取り込み装置１００は、回胴リール装置２００を撮影するための撮像装置であり、動画を撮像可能とするビデオカメラである。図３に示すように、撮影に必要な一定の距離を確保して回胴リール装置２００に対向して配置される。そして、回胴リール装置２００の回転動作又は停止動作を撮影し、撮影した各回胴リールＲ１、Ｒ２、Ｒ３の画像を画像データとしてディスプレイ１０に送り、リアルタイムで画面表示する。この画像取り込み装置１００は、ディスプレイ１０と所定のケーブル１９で電気的に接続されている。なお、ディスプレイ１０はＣＲＴ又はＬＣＤのどちらであってもよい。
【００３２】
次に上記リール撮像部５００の設置場所について説明する。回胴リール装置２００は従来の回胴リール装置と同等の大きさのものであり、撮影距離をおいて画像取り込み装置１００とともに筐体内に設置することはその大きさの点から筐体内のスペース確保が難しいため、筐体外に設置する。図９に示すように遊技島４０の上方又は下方のいずれかに設置されるのが望ましい。
【００３３】
リール撮像部５００を遊技島４０の上方に設置する場合は、遊技島４０の島上板の任意の場所を上下に貫通して形成される通路（図示せず）を設け、一方、リール撮像部５００を遊技島４０の下方に設置する場合も同じように、遊技島４０の島棚板４１の任意の場所を上下に貫通して形成される通路（図示せず）を設け、この通路に接続ケーブルを通すことによって、回胴リール装置２００及び画像取り込み装置１００とスロットマシンＳＭとを接続する。なお、本実施例では所定のケーブルを用いて回胴リール装置２００と主制御基板３００、画像取り込み装置１００とディスプレイ１０とをそれぞれ接続したが、無線ワイヤレスを用いて接続する通信タイプにしてもよい。
【００３４】
以上のように構成された本実施例のスロットマシンＳＭは、リール撮像部５００において遊技時の回胴リール装置２００の回転動作及び図柄を画像取り込み装置１００にて画像データとして取り込み、リアルタイムでディスプレイ１０にリールの実写画像を表示する。遊技者は従来のスロットマシンの遊技と同様に中パネル部のディスプレイを見て遊技をする。
【００３５】
よって、本発明の実施例１によれば、任意の場所に設置した回転表示装置の図柄及び回転表示をカメラ等の画像取り込み装置に取り込み、取り込んだ画像データを画像表示装置に実写表示として表示するようにしたので、従来のビデオスロットで表示される、人工的に作られた画像に比べ、回転表示中の図柄残像におけるちらつき感がなくなり、遊技者の目を疲れさせることないので遊技者は長時間遊技に集中することができる。
【００３６】
また、従来決まった場所に設けるしかなかった回転表示装置を筐体外の任意の場所に設置できるので、筐体の設計の自由度が上がり、さらには筐体外に回転表示装置を設けることによって筐体全体をコンパクトに設計することができる。
【実施例２】
【００３７】
次に、図２及び図３を参照して本発明の実施例２であるリール撮像部５００について説明する。
実施例１と同様に、図３に示すリール撮像部５００は回胴リール装置２００と画像取り込み装置１００とから構成される。回胴リール装置２００はメインリール装置であり、筐体内の主制御基板３００により回転動作等を制御されるものであるが、本実施例では大きさの点で従来のメインリール装置に比べてかなり小型の構造をしたミニリール装置とする。このようにメインリールを小型化することにより、図５に示すようにキャビネットボックス２において、従来の大型のメインリール装置を設置したキャビネットボックス２３の大きさ（点線で示す部分）に比べ、本発明のスロットマシンＳＭはキャビネットボックス２の奥行きをなくすことができ、筐体のスリム化を実現できる。なお、この回胴リール装置２００と主制御基板３００とは図示しない所定のケーブル１９により電気的に接続されている。
【００３８】
実施例１と同様に、画像取り込み装置１００は回胴リール装置２００を撮影するための撮像装置であり、動画を撮像可能とするビデオカメラである。図３に示すように、撮影に必要な一定の距離を確保して回胴リール装置２００に対向して配置される。そして、回胴リール装置２００の回転動作又は停止動作を撮影し、撮影したリールの実物大の映像を画像データとして、拡大表示処理を行うサブ制御基板４００に送る。また、画像取り込み装置１００とサブ制御基板４００とは所定のケーブル２３で電気的に接続されている。なお、本実施例では有線接続としたが、画像取り込み装置１００とサブ制御基板４００とを無線で接続してもよい。
【００３９】
次に画像データの拡大処理について図４を参照して説明する。
遊技中に回胴リール装置２００の各リールが回転している時において、ビデオカメラ等の画像取り込み装置１００で取り込まれた画像データは、サブ制御基板４００のサブ制御部２０に送られる。なお、遊技中に各リールが回転していない時には、サブ制御基板４００のサブ制御部２０がデモ画面等の画像演出表示の切り替え制御を行う。
【００４０】
ここで、サブ制御部２０の画像切り替え処理について図１０を参照して説明する。サブ制御部２０では、まず、遊技機において現在遊技が行われている最中か否かを判断し、遊技が行われている場合（Ｓ１１／ＹＥＳ）、又はスタートレバーや停止ボタン等の操作部からの入力がある場合（Ｓ１３／ＮＯ）は、カメラ１００から取り込まれた画像データをＶＤＰ回路２１にそのまま通す。遊技が行われていない場合は（Ｓ１１／ＮＯ）、操作部の未入力時間を監視する（Ｓ１２）。そして、一定時間操作部からの入力がない場合（Ｓ１３／ＹＥＳ）、サブ制御基板４００からデモ画像データの読込を開始し（Ｓ１４）、ディスプレイ１０の画像表示を読み込んだデモ画面に切り替える（Ｓ１５）。
【００４１】
また、上記切り替えと逆の場合である、サブ制御部２０のリール画面への復帰処理について図１１を参照して説明する。まず、遊技機のディスプレイ１０において、現在デモ画面が表示されている最中か否かを判断し、デモ表示が行われている場合（Ｓ２１／ＹＥＳ）、ベットボタンＢ１〜Ｂ３の入力、又はメダル投入口５からメダルの投入があるかを監視する（Ｓ２２）。そして、ベットボタンの入力、又はメダルの投入があった場合（Ｓ２３／ＹＥＳ）は、ディスプレイ１０のデモ画像表示をキャンセルし、遊技のためのリール画面に切り替える（Ｓ２４）。
【００４２】
画像取り込み装置１００で取り込まれた画像データはサブ制御部２０を経て、ＶＤＰ回路２１で横６４０ドット×縦４８０ドットの表示解像度であるＶＧＡ（Video Graphics array）データに変換され、スケーリングボード２２に送られる。スケーリングボード２２では、受け取ったＶＧＡデータについて映像拡大及び補正処理が行われ、横１０２４ドット×縦７６８ドットの表示解像度であるＸＧＡ（eXtended Graphics array）データに変換され、スロットマシンＳＭの液晶表示装置（ＬＣＤ）６００に送られる。そして、拡大処理された画像データはディスプレイ１０に表示される。このように、画像の拡大処理については一般にＰＣ等で使用されている既存の技術を用いる。なお、本実施例では液晶表示装置（ＬＣＤ）を用いたがＣＲＴでもよい。
【００４３】
以上のように構成されたリール撮像部５００は、図２に示すように、キャビネットボックス２内部の中央に形成されている棚板１８上に設置される。なお、本実施例では筐体内にリール撮像部５００を設置したが、実施例１のように筐体外、例えば遊技島の上方又は下方等に配設してもよい（図９参照）。
【００４４】
以上のように構成された本実施例のスロットマシンＳＭは、遊技時の回胴リール装置２００の回転動作及び図柄を画像取り込み装置１００にて画像データとして取り込み、サブ制御基板４００での拡大表示処理を経た後、リアルタイムでディスプレイ１０にリールの実写画像を表示する。遊技者は従来のスロットマシンの遊技と同様に、中パネル部のディスプレイ１０に表示された実写画像を見ながら遊技を行う。
【００４５】
よって、本発明の実施例２によれば、小型化された回転表示装置の表示をビデオカメラ等の画像取り込み装置で一旦取り込み、拡大表示処理ののち画像表示装置により表示画像を遊技者に表示するので、ドラム状の回転体を用いたスロットマシンにおいても遊技機筐体の設計自由度が上がり、さらには筐体のコンパクト化を図ることができる。
【００４６】
また、遊技者に表示される画像は実写であるため従来のビデオスロットで表示されている人工的に作られた画像に比べ、回転表示時の図柄残像におけるちらつき感がなく、遊技者は目が疲れることなく長時間遊技に集中することができる。
【００４７】
また、回転表示装置を拡大表示することで縦２５ｍｍ、横３５ｍｍ以下であっても遊技者は回転するリールの図柄を概ね識別することができる。
【００４８】
また、回転表示装置及びそれを撮影する画像取り込み装置を筐体外に設置することができるので、さらに遊技機筐体の設計自由度が上がり、さらには筐体のコンパクト化を図ることができる。
【実施例３】
【００４９】
次に、本発明の実施例３として、上記リール撮像部５００を収容する箱状収容部材について図６を参照して説明する。
リール撮像部の回胴リール装置２００と画像取り込み装置１００は、図６に示すように、撮影に必要な一定の距離を保ったままお互いに対向して箱状収容部材７００に収容される。箱状収容部材７００はブラックボックス構造（密閉構造）であり、上部に開口部が設けられ、その開口部を密閉するための開閉可能な扉部が形成されている。この扉部内側には回胴リール装置２００を制御するための主制御基板３００が取り付けられる。そして、回胴リール装置２００と主制御基板３００は所定のケーブル又は無線通信で接続される。また、箱状収容部材７００の側面には、ケーブルを通すための配線口３４が形成されており、画像取り込み装置１００のケーブル１９は、この配線口３４からサブ制御基板４００に接続される。なお、無線接続の場合は配線口３４を設けなくてもよい。
【００５０】
また、箱状収容部材７００は、扉部の内側に密閉時に用いる留め具３２が取り付けられており、密閉時の留め具３２に対応する位置に留め口３３が側面に設けられており、開閉可能な構造となっている。
【００５１】
次に、図７を参照して上記箱状収容部材７００の設置について説明する。
図７に示すように、リール撮像部を有する箱状収容部材７００は、キャビネットボックス２内部の中央に形成されている棚板１８上に設置される。棚板１８は、従来においてメインリールである大型の回転表示装置が設置される場所である。なお、本実施例では筐体内にリール撮像部を有する箱状収容部材７００を配設したが、実施例１及び２と同様に筐体外（例えば、図９に示す遊技島の上方又は下方等）に設置してもよい。
【００５２】
次に、図８を参照して本実施例の別形態について説明する。図８は、キャビネットボックス２内の棚板１８上に箱状収容部材７００を設置した場合を拡大して示した略側断面図である。
【００５３】
本実施例の別形態として、画像取り込み装置１００を箱状収容部材７００の外に設置してもよい。この時、画像取り込み装置１００は、撮影のために必要な一定の距離をおいて設置する。画像取り込み装置１００で回胴リール装置２００を撮像する時は、箱状収容部材７００の側面に形成された、図６に示す配線口３４と同様のレンズ大の穴、又はレンズ大の穴を透明部材で覆った透過窓を通して撮影する。画像取り込み装置１００は棚板１８に固着してもよいし、着脱可能にしてもよい。
【００５４】
また、箱状収容部材７００自体も棚板１８に着脱可能とする。図８（ａ）に示すように、箱状収容部材７００の底面の左右外縁部に突起部３１を形成、若しくは取り付ける。一方、棚板１８上には突起部３１と嵌合するための差込部３０を突起部３１に対応するように形成、若しくは取り付ける。このような構造にすることで、セキュリティ性を確保しながら、且つ、より簡単に回転表示装置を交換できる。また、ブラックボックス化することによって箱状収容部材内は暗くなるので、図８に示すように箱状収容部材７００内に１乃至複数の光源装置４５を備えてもよい。この光源装置４５により、内部の明度を上げることができるので、より鮮明に回胴リール装置２００を撮影できる上に、箱状収容部材内の確認作業や部材交換時等に作業がしやすくなる。
【００５５】
よって、本発明の実施例３によれば、小型化された回転表示装置の表示をビデオカメラ等の画像取り込み装置で一旦取り込み、拡大表示処理ののち画像表示装置により表示画像を遊技者に表示した上に、画像取り込み装置、回転表示装置、及び主制御基板を密閉構造の箱状収容部材に収容することにより、遊技内容の交換に係る部材の大きさ、重さを小さく、軽くでき、交換部材運搬、交換作業の効率、手間がかからなくなる。
【００５６】
また、箱状収容部材をブラックボックス化することにより、従来のスロットマシンに比べセキュリティ性を向上させることができる。
【００５７】
以上、本発明の実施例においてスロットマシンを用いて説明したが、上記実施例に限定されるものではなく、その要旨を逸脱しない範囲において種々の変形が可能であり、スロットマシン以外の遊技機や弾球遊技機に用いても良い。
【図面の簡単な説明】
【００５８】
【図１】本発明の実施例であるスロットマシンの外観を示す斜視図である。
【図２】本発明の実施例２に係るスロットマシンの内部を示す正面図である。
【図３】本発明の実施例に係る回転表示装置及び画像取り込み装置の外観を示す斜視図である。
【図４】本発明の実施例に係る画像拡大処理を示すブロック図である。
【図５】本発明の実施例であるスロットマシンの外観及び内部を示す側断面図  である。
【図６】本発明の実施例３に係る箱状収容部材の外観を示す斜視図であ  る。
【図７】本発明の実施例３に係るスロットマシンの内部を示す正面図である。
【図８】本発明の実施例３に係る箱状収容部材の外観を示す側断面図である。
【図９】本発明の実施例に係る遊技機島の外観を示す正面図である。
【図１０】本発明の実施例に係るサブ制御部の処理動作を示すフローチャートである。
【図１１】本発明の実施例に係るサブ制御部の処理動作を示すフローチャートである。
【符号の説明】
【００５９】
ＳＭ    スロットマシン
１    筐体
２    キャビネットボックス
３    前面扉（フロントドア）
４    施錠装置
５    メダル投入口
６    メダル払出口
７    受け皿
８    演出表示装置
９    下パネル部
１０    ディスプレイ
１１    スタートレバー
１２、１３、１４    停止ボタン
１５、１６、１７    演出用ランプ
１８    棚板
１９    ケーブル
２０    サブ制御部
２１    ＶＤＰ回路
２２    スケーリングボード
２３    従来のキャビネットボックス
３０    差込部
３１    突起部
３２    留め具
３３    留め口
３４    配線口
４０    遊技島
４１    島棚板
４２    幕板
４３    報知ランプ
４４    メダル貸し機
４５    光源装置
１００    画像取り込み装置（ビデオカメラ）
２００    回胴リール装置
３００    主制御基板
４００    サブ制御基板
５００    リール撮像部
６００    液晶表示装置（ＬＣＤ）
７００    箱状収容部材（ブラックボックス）
ＳＬ、ＳＲ    放音部（スピーカ）
Ｂ１、Ｂ２、Ｂ３    ベットボタン
Ｒ１、Ｒ２、Ｒ３    回胴リール
ＨＰ    ホッパ装置
ＰＷＵ    電源装置
【図１】
2005124994.tif 000003
【図２】
2005124994.tif 000004
【図３】
2005124994.tif 000005
【図４】
2005124994.tif 000006
【図５】
2005124994.tif 000007
【図６】
2005124994.tif 000008
【図７】
2005124994.tif 000009
【図８】
2005124994.tif 000010
【図９】
2005124994.tif 000011
【図１０】
2005124994.tif 000012
【図１１】
2005124994.tif 000013